(57)【要約】【課題】浴室外のリモコンに備えられた追焚スイッチの操作により、追焚運転の実行が指示されたときに生じ得る不都合を防止した風呂追焚き装置を提供する。【解決手段】浴室リモコン２０の追焚スイッチ２５の操作により、追焚運転の実行が指示されたときは、追焚運転開始時からの追焚バーナ４４の燃焼量が累積値以上となるまで、風呂温度センサ８８の検出温度が追焚設定温度以上となっても追焚バーナ４４を燃焼状態に維持し、台所リモコン３０の追焚スイッチ３５の操作により、追焚運転の実行が指示されたときには、強制燃焼処理を行わずに、風呂温度センサ８８の検出温度が追焚設定温度となった時に追焚運転を終了する追焚制御手段１１を備える。【選択図】  図１
2006284026.tif 000002
【特許請求の範囲】
【請求項１】
浴槽と連通した追焚回路と、該追焚回路を介して浴槽内の湯水を循環させる循環ポンプと、該追焚回路を流通する湯水を加熱する追焚加熱手段と、前記追焚回路内の湯水の温度を検出する風呂温度検出手段と、前記循環ポンプを作動させた状態で前記追焚加熱手段により前記追焚回路を流通する湯水を加熱することによって、浴槽内の湯水を加熱する追焚運転を実行する追焚制御手段と、浴室内に設置されて、前記追焚運転の実行を指示する第１の追焚スイッチを有する浴室リモコンとを備えた風呂追焚き装置において、
浴室外に設置されて、前記追焚運転の実行を指示する第２の追焚スイッチを有する浴室外リモコンを備え、
前記追焚き制御手段は、前記第１の追焚スイッチの操作により前記追焚運転の実行が指示されたときは、前記追焚運転の開始時からの前記追焚加熱手段の加熱量の累積値が所定量となるまで前記追焚加熱手段を作動させる強制追焚処理を行った後、前記風呂温度検出手段の検出温度が所定の追焚設定温度以上となった時に前記追焚運転を終了し、前記第２の追焚スイッチにより前記追焚運転の実行が指示されたときには、前記強制追焚処理を行うことなく、前記風呂温度検出手段の検出温度が前記追焚設定温度以上となった時に前記追焚運転を終了することを特徴とする風呂追焚き装置。
【請求項２】
浴槽と連通した追焚回路と、該追焚回路を介して浴槽内の湯水を循環させる循環ポンプと、該追焚回路を流通する湯水を加熱する追焚加熱手段と、前記追焚回路内の湯水の温度を検出する風呂温度検出手段と、前記循環ポンプを作動させた状態で、前記追焚加熱手段により前記追焚回路を流通する湯水を加熱することによって、浴槽内の湯水を加熱する追焚運転を実行する追焚制御手段と、浴室内に設置されて前記追焚運転の実行を指示する第１の追焚スイッチを有する浴室リモコンとを備えた風呂追焚き装置において、
浴室外に設置されて、前記追焚運転の実行を指示する第２の追焚スイッチを有する浴室外リモコンを備え、
前記追焚制御手段は、前記第１の追焚スイッチの操作により前記追焚運転の実行が指示されたときは、前記追焚加熱手段の加熱量を最大加熱量付近に設定して前記追焚運転を開始した後、前記風呂温度検出手段の検出温度が所定の追焚設定温度よりも所定温度低い温度まで上昇したときに、前記追焚加熱手段の加熱量を減少させる加熱量減少処理を行い、
前記第２の追焚スイッチの操作により前記追焚運転の実行が指示されたときには、前記追焚加熱手段の加熱量を最大加熱量付近に設定して前記追焚運転を開始した後、前記風呂温度検出手段の検出温度が前記追焚設定温度となるまで、前記追焚加熱手段の加熱量を最大加熱量付近に維持することを特徴とする風呂追焚き装置。
【請求項３】
浴槽と連通した追焚回路と、該追焚回路を介して浴槽内の湯水を循環させる循環ポンプと、該追焚回路を流通する湯水を加熱する追焚加熱手段と、浴槽に湯水を供給する給湯手段と、前記循環ポンプを作動させた状態で前記追焚加熱手段により前記追焚回路を流通する湯水を加熱することによって、浴槽内の湯水を加熱する追焚運転を実行する追焚制御手段と、浴室内に設置されて前記追焚運転の実行を指示する第１の追焚スイッチを有する浴室リモコンとを備えた風呂追焚き装置において、
浴室外に設置されて前記追焚運転の実行を指示する第２の追焚スイッチを有する浴室外リモコンと、浴槽内の湯水の有無を検出する水有無検出手段と、浴槽と連通して浴槽内に湯水を供給する湯水供給手段と、該湯水供給手段により前記浴槽に所定量の湯水を供給する湯張り運転を実行する湯張り制御手段とを備え、
前記追焚制御手段は、前記第１の追焚スイッチにより前記追焚運転の実行が指示されたときに、前記水有無検出手段により浴槽内の湯水が検出されなかったときは、前記追焚運転を実行せずに、前記湯張り制御手段により前記湯張り運転を実行させ、
前記第２の追焚スイッチにより前記追焚運転の実行が指示されたときに、前記水有無検出手段により浴槽内の湯水が検出されなかったときには、前記追焚運転の実行と、前記湯張り制御手段による前記湯張り運転の実行とを禁止することを特徴とする風呂追焚き装置。
【請求項４】
前記追焚回路を流通する湯水の有無を検出する水流検出手段を備え、
前記追焚き制御手段は、前記第２の追焚スイッチにより追焚運転の実行が指示されたときは、前記循環ポンプを作動させた状態で所定時間以上継続して前記水流検出手段により流水が検出されるエアパージ完了状態となるのを待って、前記追焚加熱手段を作動させ、
前記第１の追焚スイッチにより追焚運転の実行が指示されたときには、前記エアパージ完了状態となるのを待つことなく、前記追焚加熱手段を作動させることを特徴とする請求項１から請求項３のうちいずれか１項記載の風呂追焚き装置。
【請求項５】
前記追焚回路を流通する湯水の有無を検出する水流検出手段を備え、
前記追焚制御手段は、前記第２の追焚スイッチにより追焚運転の実行が指示されたときは、前記循環ポンプを作動させた状態で所定時間以上継続して前記水流検出手段により流水が検出されるエアパージ完了状態になるまでは、前記風呂温度検出温度の検出温度が追焚設定温度以下となるように、前記追焚加熱手段による加熱を制限する加熱制限処理を行って追焚運転を実行し、
前記第１の追焚スイッチにより追焚運転の実行が指示されたときには、前記加熱制限処理を行うことなく追焚運転を実行することを特徴とする請求項１から請求項３のうちいずれか１項記載の風呂追焚き装置。
【発明の詳細な説明】
【技術分野】
【０００１】
本発明は、リモコンに備えられた追焚スイッチの操作に応じて、浴槽内の湯を加熱する追焚き運転を実行する風呂追焚き装置に関する。
【背景技術】
【０００２】
従来より、浴槽内の湯を加熱する追焚き機能を有する給湯器が知られている。そして、給湯器は屋外に設置されるのが一般的であるため、給湯器を遠隔操作するためのリモコンが浴室に設けられ、該リモコンに追焚運転の実行を指示するための追焚スイッチが備えられていた。
【０００３】
この場合、入浴者は、浴槽内の湯がぬるいと感じたときに、浴室リモコンの追焚スイッチを操作して追焚運転を実行させることで、浴槽内の湯の温度を上昇させて快適な入浴をすることができる。
【０００４】
ここで、追焚運転を実行したときに、追焚回路の接続口から浴槽内に出湯された湯が、浴槽内で拡散することなく再び追焚回路内に吸入されるいわゆるショートサーキット状態となる場合がある。そして、この場合に、実際には浴槽内の全体的な湯の温度が追焚設定温度まで上昇していないにも拘らず、追焚回路に設けられた風呂温度センサの検出温度が追焚設定温度以上となって追焚運転が終了してしまうことを防止するため、追焚熱交換器を加熱する追焚バーナの加熱量の累積値が所定値以上となるまで、追焚バーナを作動させる「強制追焚処理」を行うようにした給湯器が知られている（例えば、特許文献１参照）。
【０００５】
また、追焚運転の開始前に浴槽内の湯水の有無を確認し、浴槽内の湯水が検出されなかったときには、浴槽に所定量の湯水を供給する「湯張り運転」を行った後に、追焚運転を開始するようにした給湯器も知られている。さらに、追焚回路から浴槽内に出湯される高温の湯により浴槽に浸かっている入浴者に熱さを感じさせないようにするため、風呂温度センサの検出温度が追焚設定温度に接近したときに、追焚バーナによる加熱量を減少させる「加熱量減少処理」を行うようにした給湯装置も知られている（例えば、特許文献２参照）。
【特許文献１】特公平０８−０１２０２０号公報
【特許文献２】特許第０２９２８５７０号公報
【発明の開示】
【発明が解決しようとする課題】
【０００６】
風呂追焚き装置による追焚運転の実行を指示する追焚スイッチを備えたリモコンを、浴室以外の台所等にも設けることで、使用者はわざわざ浴室に行くことなく、追焚運転の実行を指示することができるため、使用者の使い勝手が向上する。
【０００７】
しかし、本願発明者らは、このように浴室外に設けられたリモコンにも追焚スイッチを備え、該追焚スイッチが操作されたときに、浴室リモコンの追焚スイッチが操作された場合と同様に、上述した「強制追焚処理」、「湯張り処理」、「加熱量減少処理」を行った場合に、種々の不都合が生じ得ることを知見した。
【０００８】
そこで、本発明は、浴室外のリモコンに備えられた追焚スイッチの操作により、追焚運転の実行が指示されたときに生じ得る不都合を防止した風呂追焚き装置を提供することを目的とする。
【課題を解決するための手段】
【０００９】
本発明は上記目的を達成するためになされたものであり、本発明の第１の態様は、浴槽と連通した追焚回路と、該追焚回路を介して浴槽内の湯水を循環させる循環ポンプと、該追焚回路を流通する湯水を加熱する追焚加熱手段と、前記追焚回路内の湯水の温度を検出する風呂温度検出手段と、前記循環ポンプを作動させた状態で前記追焚加熱手段により前記追焚回路を流通する湯水を加熱することによって、浴槽内の湯水を加熱する追焚運転を実行する追焚制御手段と、浴室内に設置されて、前記追焚運転の実行を指示する第１の追焚スイッチを有する浴室リモコンとを備えた風呂追焚き装置の改良に関する。
【００１０】
そして、浴室外に設置されて、前記追焚運転の実行を指示する第２の追焚スイッチを有する浴室外リモコンを備え、前記追焚き制御手段は、前記第１の追焚スイッチの操作により前記追焚運転の実行が指示されたときは、前記追焚運転の開始時からの前記追焚加熱手段の加熱量の累積値が所定量となるまで前記追焚加熱手段を作動させる強制追焚処理を行った後、前記風呂温度検出手段の検出温度が所定の追焚設定温度以上となった時に前記追焚運転を終了し、前記第２の追焚スイッチにより前記追焚運転の実行が指示されたときには、前記強制追焚処理を行うことなく、前記風呂温度検出手段の検出温度が前記追焚設定温度以上となった時に前記追焚運転を終了することを特徴とする。
【００１１】
かかる本発明によれば、前記浴室リモコンに備えられた前記第１の追焚スイッチの操作により前記追焚運転の実行が開始されたときに、前記追焚制御手段により、前記強制追焚処理が実行される。これにより、浴槽内の湯水の温度に拘わらず、浴槽内の湯水が加熱されるため、前記追焚回路から出湯された湯が浴槽内に拡散せずに再び追焚回路内に流入するショートサーキット状態となり、浴槽内の湯水の全体的な温度が追焚設定温度となる前に前記風呂温度検出手段の検出温度が追焚設定温度に達して、追焚運転が終了することを防止することができる。なお、入浴者が浴槽に浸かっていると、浴槽内の湯の対流が入浴者により妨げられてショートサーキット状態になり易く、浴槽内に入浴者がいなければショートサーキット状態になり難い。
【００１２】
ここで、浴室リモコンに備えられた前記第１の追焚スイッチが操作されたときは、使用者が浴槽に浸かっている状態であると想定され、浴槽内の湯温が上昇することを認識しているため、浴槽内の湯水の温度が追焚き温度よりも若干高くなっても、使用者に不快感を与えることはないと考えられる。
【００１３】
一方、前記浴室外リモコンに備えられた前記第２の追焚スイッチの操作により前記追焚運転の実行が指示されたときには、前記強制追焚処理は実行されず、前記追焚制御手段により、前記風呂温度検出手段の検出温度が追焚設定温度になるまで追焚運転が実行される。ここで、使用者が浴室外リモコンの前記第２の追焚スイッチを操作したときは、使用者は、追焚き運転が終了した後に入浴をしようとしていると想定される。
【００１４】
そして、この場合は、浴槽内の湯の温度が追焚設定温度を超えると、使用者が入浴したときに、浴槽内の湯の温度が使用者の意図した追焚設定温度よりも高くなっているため、浴槽に浸かった使用者に熱さによる不快感を与えてしまうという不都合がある。そこで、使用者が浴室外リモコンの追焚スイッチを操作したときは、前記強制追焚処理を行わずに、前記風呂温度検出手段の検出温度が追焚設定温度以上となったときに追焚き運転を終了することで、かかる不都合が生じることを防止することができる。なお、上述したように、浴槽内に入浴者がいなければショートサーキット状態になり難いため、このように前記強制追焚処理を行わなくても、ショートサーキットに起因する追焚の不足が生じることはないと想定される。
【００１５】
また、本発明の第２の態様は、浴槽と連通した追焚回路と、該追焚回路を介して浴槽内の湯水を循環させる循環ポンプと、該追焚回路を流通する湯水を加熱する追焚加熱手段と、前記追焚回路内の湯水の温度を検出する風呂温度検出手段と、前記循環ポンプを作動させた状態で、前記追焚加熱手段により前記追焚回路を流通する湯水を加熱することによって、浴槽内の湯水を加熱する追焚運転を実行する追焚制御手段と、浴室内に設置されて前記追焚運転の実行を指示する第１の追焚スイッチを有する浴室リモコンとを備えた風呂追焚き装置の改良に関する。
【００１６】
そして、浴室外に設置されて、前記追焚運転の実行を指示する第２の追焚スイッチを有する浴室外リモコンを備え、前記追焚制御手段は、前記第１の追焚スイッチの操作により前記追焚運転の実行が指示されたときは、前記追焚加熱手段の加熱量を最大加熱量付近に設定して前記追焚運転を開始した後、前記風呂温度検出手段の検出温度が所定の追焚設定温度よりも所定温度低い温度まで上昇したときに、前記追焚加熱手段の加熱量を減少させる加熱量減少処理を行い、前記第２の追焚スイッチの操作により前記追焚運転の実行が指示されたときには、前記追焚加熱手段の加熱量を最大加熱量付近に設定して前記追焚運転を開始した後、前記風呂温度検出手段の検出温度が前記追焚設定温度となるまで、前記追焚加熱手段の加熱量を最大加熱量付近に維持することを特徴とする。
【００１７】
かかる本発明において、使用者が前記浴室内リモコンに備えられた前記第１の追焚スイッチを操作したときは、使用者は入浴中であると想定される。そして、この場合に、前記追焚加熱手段の加熱量を最大加熱量付近に維持して追焚運転を実行すると、浴槽内の湯水の温度が追焚設定温度付近まで上昇したときに、前記追焚回路から浴室内に高温の湯が出湯されて、浴槽に浸かっている使用者に熱さによる不快感を与えるという不都合がある。
【００１８】
そこで、前記追焚き制御手段は、前記第１の追焚スイッチの操作により追焚き運転の開始が指示されて、追焚き運転を開始したときは、前記風呂温度検出手段の検出温度が追焚き温度よりも所定温度低い温度となったときに、前記追焚き加熱手段の加熱量を減少させる加熱量減少処理を行う。そして、これにより、浴槽に浸かっている使用者に、高温の湯の出湯による不快感を与えることを防止することができる。
【００１９】
一方、前記第２の追焚スイッチの操作により追焚運転の実行が指示されたときには、使用者は浴室外にいて入浴していないと想定できる。そのため、この場合には、浴槽に浸かっている使用者のことを考慮する必要はなく、追焚運転の終了まで前記追焚加熱手段を最大加熱量付近で作動させることで、追焚運転が完了するまでの時間を短縮することができる。
【００２０】
また、本発明の第３の態様は、浴槽と連通した追焚回路と、該追焚回路を介して浴槽内の湯水を循環させる循環ポンプと、該追焚回路を流通する湯水を加熱する追焚加熱手段と、浴槽に湯水を供給する給湯手段と、前記循環ポンプを作動させた状態で前記追焚加熱手段により前記追焚回路を流通する湯水を加熱することによって、浴槽内の湯水を加熱する追焚運転を実行する追焚制御手段と、浴室内に設置されて前記追焚運転の実行を指示する第１の追焚スイッチを有する浴室リモコンとを備えた風呂追焚き装置の改良に関する。
【００２１】
そして、浴室外に設置されて前記追焚運転の実行を指示する第２の追焚スイッチを有する浴室外リモコンと、浴槽内の湯水の有無を検出する水有無検出手段と、浴槽と連通して浴槽内に湯水を供給する湯水供給手段と、該湯水供給手段により前記浴槽に所定量の湯水を供給する湯張り運転を実行する湯張り制御手段とを備え、前記追焚制御手段は、前記第１の追焚スイッチにより前記追焚運転の実行が指示されたときに、前記水有無検出手段により浴槽内の湯水が検出されなかったときは、前記追焚運転を実行せずに、前記湯張り制御手段により前記湯張り運転を実行させ、前記第２の追焚スイッチにより前記追焚運転の実行が指示されたときに、前記水有無検出手段により浴槽内の湯水が検出されなかったときには、前記追焚運転の実行と、前記湯張り制御手段による前記湯張り運転の実行とを禁止することを特徴とする。
【００２２】
かかる本発明によれば、前記第１の追焚スイッチの操作により追焚運転の実行が指示されたときは、使用者は浴室内にいるため、前記水有無検出手段により浴槽内の湯水が検出されず、前記湯張り制御手段により所定量の湯水の供給が開始されたことを目視で確認することができる。そのため、浴槽の排水栓が外れているときには直ちにこれに気づくと想定され、排水栓が外れた状態で所定量の湯水が供給されて、湯水が無駄になることはないと考えられる。
【００２３】
一方、前記第２の追焚スイッチの操作により追焚運転の実行が指示されたときには、使用者が浴室外にいるため、前記水有無検出手段により浴槽内の湯水が検出されず、前記湯張り制御手段により所定量の湯水の供給が開始されたことを目視で確認することができない。そのため、浴槽の排水栓が外れていたときには、前記所定量の湯水が無駄に浴槽に供給されてしまうことになる。そこで、前記追焚制御手段は、前記第２の追焚スイッチにより追焚運転の実行が指示されたときに、前記水有無検出手段により浴槽内の湯水が検出されなかったときには、前記湯張り制御手段による前記湯張り運転の実行を禁止し、これにより、前記所定量の湯水が無駄に浴槽に供給されることを防止することができる。
【００２４】
また、前記第１の態様から前記第３の態様において、前記追焚回路を流通する湯水の有無を検出する水流検出手段を備え、前記追焚き制御手段は、前記第２の追焚スイッチにより追焚運転の実行が指示されたときは、前記循環ポンプを作動させた状態で所定時間以上継続して前記水流検出手段により流水が検出されるエアパージ完了状態となるのを待って、前記追焚加熱手段を作動させ、前記第１の追焚スイッチにより追焚運転の実行が指示されたときには、前記エアパージ完了状態となるのを待つことなく、前記追焚加熱手段を作動させることを特徴とする。
【００２５】
かかる本発明において、前記追焚回路内に湯水が満たされておらず、空気層が存在する場合は、前記風呂温度検出手段により浴槽内の湯水の温度を正確に検出することができない。そこで、前記浴室外リモコンに設けられた前記第２の追焚スイッチの操作により追焚運転の実行が指示されたときには、前記エアパージ完了状態となって前記風呂温度検出手段による浴槽内の湯水の温度の検出精度が高くなってから、前記追焚加熱手段を作動させることにより、追焚き運転中の前記風呂温度検出手段の検出精度を高めることができる。
【００２６】
一方、前記浴室内リモコンに設けられた前記第１の追焚スイッチの操作により追焚運転の実行が指示されたときは、浴槽に浸かっている使用者が、湯のぬるさを感じて追焚運転の実行を指示したと想定される。そのため、使用者の要求に応じて早急に追焚運転を開始することが望まれる。そこで、使用者による前記第１の追焚スイッチの操作に応じて、前記エアパージ完了状態となるのを待つことなく前記追焚加熱手段を作動させて直ちに前記追焚運転を開始することにより、使用者の使い勝手を向上させることができる。そして、この場合は、使用者は追焚運転の実行により浴槽内の湯水の温度が上昇することを認識しているため、浴槽内の湯水の温度が追焚設定温度よりも若干高くなっても、使用者に不快感を与えることはないと考えられる。
【００２７】
また、前記第１の態様から前記第３の態様において、前記追焚回路を流通する湯水の有無を検出する水流検出手段を備え、前記追焚制御手段は、前記第２の追焚スイッチにより追焚運転の実行が指示されたときは、前記循環ポンプを作動させた状態で所定時間以上継続して前記水流検出手段により流水が検出されるエアパージ完了状態になるまでは、前記風呂温度検出温度の検出温度が追焚設定温度以下となるように、前記追焚加熱手段による加熱を制限する加熱制限処理を行って追焚運転を実行し、前記第１の追焚スイッチにより追焚運転の実行が指示されたときには、前記加熱制限処理を行うことなく追焚運転を実行することを特徴とする。
【００２８】
かかる本発明によれば、前記第２の追焚スイッチにより追焚運転の実行が指示されたときには、前記追焚制御手段は、前記エアパージ完了状態となるまで、前記加熱制限処理を行って前記風呂温度検出手段の検出温度が前記追焚き設定温度以下に設定された前記制限温度以下に維持する。そして、これにより、前記エアパージ完了状態となっておらず、前記風呂温度検出手段により浴槽内の湯の温度を精度良く検出することができない状態で、前記風呂温度検出手段の検出温度が追焚設定温度以上となったか否かが判断され、浴槽内の湯水が前記追焚設定温度を超えて加熱されることを防止することができる。
【発明を実施するための最良の形態】
【００２９】
本発明の実施の形態について、図１〜図５を参照して説明する。図１は本発明の風呂追焚き装置の機能を含む給湯器の全体構成図、図２〜図３は図１に示した浴室リモコンの追焚スイッチの操作により追焚きが指示されたときの追焚運転の実行フローチャート、図４〜図５は図１に示した台所リモコンの追焚スイッチの操作により追焚きが指示されたときの追焚運転の実行フローチャートである。
【００３０】
図１を参照して、追焚き機能付き給湯器１には、複合燃焼部２、燃料供給部３、給湯配管４、追焚回路５、コントローラ１０、浴室に設けられた浴室リモコン２０、及び台所に設けられた台所リモコン３０（本発明の浴室外リモコンに相当する）が備えられている。複合燃焼部２は、給湯燃焼部４０と追焚燃焼部４１とからなり、給湯燃焼部４０の燃焼室と追焚燃焼部４１の燃焼室とは独立して設けられている。なお、給湯燃焼部４０、燃料供給部３、給湯配管４、及び追焚回路５により、本発明の湯水供給手段が構成される。
【００３１】
給湯燃焼部４０には、独立した２つのバーナ（第１給湯バーナ４２及び第２給湯バーナ４３）が備えられ、これらのバーナのいずれか一方の使用と双方の使用とを切り換えることにより、燃焼量の変更幅を拡大している。給湯燃焼部４０の２つのバーナ４２，４３と追焚燃焼部４１の追焚きバーナ４４には、共通の送風機４５から燃焼用空気が供給される。
【００３２】
また、給湯燃焼部４０及び追焚燃焼部４１で発生した燃焼排ガスは、共通の排気口４６から排出される。第２給湯バーナ４３及び追焚バーナ４４には、それぞれ、バーナに点火するための点火電極４７，４８が設けられている。また、第１給湯バーナ４２及び第２給湯バーナ４３と追焚バーナ４４には、それぞれ、燃焼炎を検出するフレームロッド４９，５０が設けられている。
【００３３】
燃料供給部３には、第１給湯バーナ４２、第２給湯バーナ４３、及び追焚バーナ４４に燃料ガスを供給する燃料供給路６０が備えられ、燃料供給路６０には、上流側から元電磁弁６１及び比例弁６２が設けられている。比例弁６２は、通電量に応じて開度が変化するものであり、比例弁６２の開度を変更することで燃料供給路６０から各バーナ４２，４３，４４に供給される燃料ガスの供給流量を調節することができる。
【００３４】
燃料供給路６０は、比例弁６２の下流側で３方に分岐して、第１給湯バーナ４２、第２給湯バーナ４３、及び追焚バーナ４４に連通している。比例弁６２と第１給湯バーナ４２とを連通する燃料供給路６０ａには、第１給湯バーナ４２への燃料ガスの供給／遮断を切替える第１給湯開閉弁６３が設けられている。比例弁６２と第２給湯バーナ４３とを連通する燃料供給路６０ｂには、第２給湯バーナ４３への燃料ガスの供給／遮断を切替える第２給湯開閉弁６４が設けられている。比例弁６２と追焚バーナ４４とを連通する燃料供給路６０ｃには、追焚バーナ４４への燃料ガスの供給／遮断を切替える追焚開閉弁６５が設けられている。
【００３５】
給湯配管４は、一端が給水口７０で上水道と接続される。また、給湯配管４の他端は、出湯口７１で湯を供給する配管に接続される。給湯配管４の途中には、第１給湯バーナ４２及び第２給湯バーナ４３から発生する熱と、給水口７０から供給される水とを熱交換して出湯口７１から温水を流出する給湯熱交換器７２が設けられている。
【００３６】
さらに、給湯配管４には、水ガバナ７３と給湯水流スイッチ７４が設けられ、給湯熱交換器７２の下流側に、給湯熱交換器７２から出湯される湯の温度を検出する出湯温度センサ７５が設けられている。出湯温度センサ７５の下流の給湯配管４には、給湯熱交換器７２から出湯される湯を浴槽８０に導く湯張り配管８１が接続されている。
【００３７】
湯張り配管８１は、下流側の端部が追焚回路５の途中（後述する循環ポンプ８２の下流側）に接続されており、給湯熱交換器７２から出湯される湯を追焚回路５を介して浴槽８０内に導く。なお、湯張り配管８１の途中には、湯張り開閉弁８３、湯張り用水量センサ８４、及び逆止弁８５が設けられている。
【００３８】
追焚回路５は、両端が浴槽８０に接続され、一端から浴槽８０内の湯水を吸入して他端から再び浴槽８０に戻す循環回路である。追焚回路５の途中には、追焚バーナ４４により加熱されて追焚回路５内を流通する湯水を熱交換により加熱する追焚熱交換器８６が設けられている。また、追焚回路５には、追焚回路５内の流水の有無に応じてＯＮ／ＯＦＦする追焚水流スイッチ８７（本発明の水流検出手段に相当する）と、追焚回路５内の湯水の温度（＝浴槽８０内の湯水の温度）を検出する風呂温度センサ８８（本発明の風呂温度検出手段に相当する）とが設けられている。なお、追焚バーナ４４と追焚熱交換器８６とにより、本発明の追焚加熱手段が構成される。
【００３９】
コントローラ１０は、マイクロコンピュータ等により構成され、給湯器１を遠隔操作するための浴室リモコン２０及び台所リモコン３０と通信可能に接続されている。コントローラ１０には、給湯水流スイッチ７４、追焚水流スイッチ８７、出湯温度センサ７５、風呂温度センサ８８、フレームロッド４９，５０、湯張り用水量センサ８４からの検出信号が入力される。また、コントローラ１０から出力される制御信号により、送風機４５、点火電極４７，４８、元電磁弁６１、比例弁６２、第１給湯開閉弁６３、第２給湯開閉弁６４、追焚開閉弁６５、湯張り開閉弁８３、及び循環ポンプ８２の作動が制御される。
【００４０】
また、コントローラ１０には、浴槽８０内の湯を浴室リモコン２０又は台所リモコン３０により設定される追焚設定温度まで加熱する「追焚運転」を実行する追焚制御手段１１、浴槽８０内に、浴室リモコン２０又は台所リモコン３０により設定される湯張り設定温度の湯を所定量供給する「湯張り運転」を実行する湯張り制御手段１２、及び浴室リモコン２０又は台所リモコン３０により設定される給湯設定温度の湯を給湯熱交換器７２から出湯する「給湯運転」を実行する給湯制御手段１３が備えられている。
【００４１】
浴室リモコン２０には、給湯器１の作動状態等を表示する表示部２１、追焚設定温度や給湯設定温度等を設定するＵＰスイッチ２２及びＤＯＷＮスイッチ２３、給湯器１の作動指示が可能な運転状態と給湯器１の作動指示が不能な待機状態とに切替える運転スイッチ２４、「追焚運転」の実行を指示する追焚スイッチ２５（本発明の第１の追焚スイッチに相当する）、及び「湯張り運転」の実行を指示する湯張りスイッチ２６が備えられている。
【００４２】
台所リモコン３０にも、浴室リモコン２０と同様に、給湯器１の作動状態等を表示する表示部３１、給湯器１を運転状態と待機状態とに切替える運転スイッチ３４、「追焚運転」の実行を指示する追焚スイッチ３５（本発明の第２の追焚スイッチに相当する）、及び「湯張り運転」の実行を指示する湯張りスイッチ３６が備えられている。
【００４３】
次に、コントローラ１０による「追焚運転」の実行手順について説明する。先ず、浴室リモコン２０の追焚スイッチ２５の操作により「追焚運転」の実行が指示された場合の実行手順について、図２〜図３に示したフローチャートに従って説明する。
【００４４】
使用者が浴室リモコン２０の追焚スイッチ２５を操作すると、コントローラ１０に備えられた追焚制御手段１１により「追焚運転」が開始され、図２のＳＴＥＰ１からＳＴＥＰ２に進んで、追焚制御手段１１は浴室リモコン２０の表示部２１及び台所リモコン３０の表示部３１に「追焚運転」の実行中であることを示す追焚運転表示を行う。そして、追焚制御手段１１は、続くＳＴＥＰ３で、追焚回路５内に滞留した空気が排出されて追焚回路５内に湯水が満たされた状態である「エアパージ完了状態」の判定中であることを示すエアパージフラグ（図中エアパージＦ）をリセット（エアパージフラグ＝０）し、ＳＴＥＰ４で３０秒タイマをスタートさせ、ＳＴＥＰ５で循環ポンプ８２を作動させる。
【００４５】
そして、続くＳＴＥＰ６で追焚水流スイッチ８７がＯＮ状態であるときはＳＴＥＰ７に進み、追焚水流スイッチ８７がＯＮ状態でないときにはＳＴＥＰ３０に分岐する。そして、ＳＴＥＰ７で、追焚制御手段１１は「マイルド条件」が成立しているか否かを判断する。
【００４６】
ここで、「マイルド条件」とは、風呂温度センサ８８の検出温度が追焚設定温度よりも所定温度（例えば２℃）低い温度以上となることである。「マイルド条件」が成立したときはＳＴＥＰ８に進み、追焚制御手段１１は、追焚バーナ４４の燃焼量を最大燃焼量よりも減少（例えば、最大燃焼量の１／２の燃焼量まで減少）させて「追焚運転」を実行する（マイルド追焚燃焼状態）。そして、これにより、使用者が浴槽８０に浸かった状態で「追焚運転」が実行されたときに、追焚回路５から浴槽８０内に高温の湯が供給されて使用者に熱さによる不快感を与えることを防止している。
【００４７】
一方、ＳＴＥＰ７で「マイルド条件」が成立していないときには、ＳＴＥＰ４０に分岐し、追焚制御手段１１は追焚バーナ４４を最大燃焼量（最大加熱量）として追焚運転を実行する（最大追焚燃焼状態）。これにより、浴槽８０内の湯水の温度を速やかに上昇させることができる。
【００４８】
そして、続くＳＴＥＰ９でエアパージフラグがセット（エアパージフラグ＝１）されていなければＳＴＥＰ５０に分岐し、追焚制御手段１１は３０秒タイマがタイムアップしているか否かを判断する。そして、３０秒タイマがタイムアップしていたとき、すなわち、ＳＴＥＰ５で循環ポンプ８２の作動を開始した時から３０秒が経過したときは、ＳＴＥＰ５１に進み、追焚制御手段１１は、エアパージフラグをセット（エアパージフラグ＝１）してＳＴＥＰ５２で３０秒タイマをスタートさせ、ＳＴＥＰ６に戻る。また、ＳＴＥＰ５０で３０秒タイマがタイムアップしていなかったときには、ＳＴＥＰ５１，ＳＴＥＰ５２の処理を行うことなくＳＴＥＰ６に戻る。
【００４９】
ＳＴＥＰ６で追焚水流スイッチ８７がＯＮ状態でないときはＳＴＥＰ３０に分岐し、追焚制御手段１１は追焚バーナ４４の燃焼を停止し、次のＳＴＥＰ３１で循環ポンプ８２の作動を停止する。そして、次のＳＴＥＰ３２でエアパージフラグがセットされているか否かを判断する。ＳＴＥＰ３２でエアパージフラグがセットされていないときは、ＳＴＥＰ５０に分岐する。
【００５０】
ここで、ＳＴＥＰ３２でエアパージフラグがセットされていたときは、循環ポンプ８２を３０秒間作動させても追焚回路５内の空気が排出されて湯水が満たされた「エアパージ完了状態」とならなかったことになる。
【００５１】
この場合、浴槽８０内には、追焚回路５の接続口９０ａ，９０ｂよりも低い水位までしか湯水が貯まっていないと認識される。そこで、この場合はＳＴＥＰ３３に進んで、追焚制御手段１１は所定量の湯を浴槽８０に供給する「呼び水湯張り」を行う。そして、続くＳＴＥＰ３４で循環ポンプ８２を作動させ、ＳＴＥＰ３５で浴槽８０内の湯水の有無を判断する。
【００５２】
ここで、浴槽８０内の湯水の有無の判断は、循環ポンプ８２を作動させた状態で、追焚水流スイッチ８７が３０秒間継続してＯＮ状態となったときに、浴槽８０内に湯水が有ると判断することにより行う。
【００５３】
そして、ＳＴＥＰ３５で浴槽８０内に湯水が有ると判断したときは、ＳＴＥＰ７に分岐して、追焚制御手段１１は「追焚運転」を継続する。一方、ＳＴＥＰ３５で浴槽８０内に湯水が無いと判断されたとき、すなわち、「呼び水湯張り」を行っても浴槽８０内に追焚回路５との接続口９０ａ，９０ｂの水位を超える湯水が貯まらなかったときには、浴槽８０内の湯水を追焚回路５内に循環させて追焚きをすることができない。
【００５４】
そのため、この場合はＳＴＥＰ３６に進み、追焚制御手段１１は循環ポンプ８２をＯＦＦ（停止）して「追焚運転」を中止する。そして、追焚制御手段１１は、続くＳＴＥＰ３７により、湯張り制御手段１２により「湯張り運転」を実行させる。
【００５５】
また、ＳＴＥＰ９でエアパージフラグがセット（エアパージフラグ＝１）されていたときはＳＴＥＰ１０に進み、追焚制御手段１１は３０秒タイマがタイムアップしているか否かを判断する。そして、ＳＴＥＰ１０で３０秒タイマがタイムアップしていたときは図３のＳＴＥＰ１１に進み、３０秒タイマがタイムアップしていなかったときにはＳＴＥＰ６に分岐する。
【００５６】
ここで、ＳＴＥＰ１０で３０秒タイマがタイムアップしたときは、ＳＴＥＰ５で循環ポンプ８２が作動を開始した時から３０秒が経過し、さらに、ＳＴＥＰ６で追焚水流スイッチ８７がＯＦＦすることなく３０秒が経過したことになる。そのため、循環ポンプ８２を３０秒間（本発明の所定時間に相当する）作動させたときに追焚水流スイッチ８７が継続してＯＮ状態となり、追焚回路５内の空気が排出されて追焚回路５内に湯水が満たされた「エアパージ完了状態」となっていることが認識できる。
【００５７】
そして、「エアパージ完了状態」であれば、浴槽８０内に追焚回路５との接続口９０ａ，９０ｂを超える水位の湯水が貯まっているので、追焚バーナ４４による追焚熱交換器８６の空焚きが生じるおそれがない。そこで、追焚制御手段１１は、図３のＳＴＥＰ１１〜ＳＴＥＰ１５のループにより、追焚水流スイッチ８７による浴槽８０内の湯水の有無の検出を行うことなく、「追焚運転」を継続する。
【００５８】
追焚制御手段１１は、ＳＴＥＰ１１で「マイルド条件」が成立したか否かを判断し、「マイルド条件」が成立したときはＳＴＥＰ６０に分岐して追焚バーナ４４の燃焼量を最大燃焼量から減少させる（マイルド追焚燃焼状態）。また、「マイルド条件」が成立していなかったときには、ＳＴＥＰ１２に進んで追焚バーナ４４の燃焼量を最大燃焼量に維持する（最大追焚燃焼状態）。
【００５９】
そして、次のＳＴＥＰ１３で風呂温度センサ８８の検出温度が５０℃を超えたときは、ＳＴＥＰ１６に分岐し、追焚制御手段１１は、ＳＴＥＰ１６で追焚バーナ４４の燃焼を停止し、ＳＴＥＰ１７で循環ポンプ８２を停止し、ＳＴＥＰ１８で浴室リモコン２０の表示部２１及び台所リモコン３０の表示部３１の追焚運転表示をＯＦＦし、ＳＴＥＰ１９に進んで「追焚運転」を終了する。
【００６０】
ここで、ＳＴＥＰ１３で風呂温度センサ８８の検出温度が５０℃以上であるか否かを判断するのは、続くＳＴＥＰ１４で強制追焚処理が終了する前に浴槽８０内の湯の温度が追焚設定温度よりもかなり高くなって、浴槽８０に浸かった使用者に熱さによる不快感を与えないようにするためである。
【００６１】
強制追焚処理とは、「追焚運転」の開始時からの追焚バーナ４４の燃焼量の積算値が所定量となるまで、風呂温度センサ８８の検出温度が追焚設定温度以上となっても「追焚運転」を継続する処理である。なお、強制追焚処理の他の態様として、「追焚運転」の開始時から所定時間が経過するまで、風呂温度センサ８８の検出温度が追焚設定温度以上となっても「追焚運転」を継続するようにしてもよい。
【００６２】
強制追焚処理を行うことにより、追焚回路５から浴槽８０内に供給された湯が、浴槽８０内で拡散せずにそのまま追焚回路５に吸入されるいわゆるショートサーキット状態となり、実際には浴槽８０内の湯水が追焚設定温度まで上昇していないにも拘わらず、風呂温度センサ８８の検出温度が追焚設定温度以上となって「追焚運転」が終了してしまうことを防止している。
【００６３】
ＳＴＥＰ１４で強制追焚処理が終了したときにＳＴＥＰ１５に進み、追焚制御手段１１は風呂温度センサ８８の検出温度が設定温度以上であるか否かを判断する。そして、風呂温度センサ８８の検出温度が追焚設定温度よりも低いときはＳＴＥＰ１１に戻る。一方、風呂温度センサ８８の検出温度が追焚設定温度以上であるときにはＳＴＥＰ１６に進み、追焚制御手段１１は、ＳＴＥＰ１６〜ＳＴＥＰ１９の処理を実行してＳＴＥＰ２０に進み、「追焚運転」を終了する。
【００６４】
次に、台所リモコン３０の追焚スイッチ３５の操作により「追焚運転」の実行が指示された場合の実行手順について、図４〜図５に示したフローチャートに従って説明する。使用者が台所リモコン３０の追焚スイッチ３５を操作すると、コントローラ１０に備えられた追焚制御手段１１により「追焚運転」が開始され、図４のＳＴＥＰ１００からＳＴＥＰ１０１に進んで、追焚制御手段１１は浴室リモコン２０の表示部２１及び台所リモコン３０の表示部３１に「追焚運転」の実行中であることを示す追焚運転表示を行う。
【００６５】
そして、追焚制御手段１１は、続くＳＴＥＰ１０２でエアパージフラグをリセット（エアパージフラグ＝０）し、ＳＴＥＰ１０３で３０秒タイマをスタートさせ、ＳＴＥＰ１０４で循環ポンプ８２を作動させる。続くＳＴＥＰ１０５で追焚水流スイッチ８７がＯＮ状態であるときはＳＴＥＰ１０６に進み、追焚水流スイッチ８７がＯＮ状態でないときにはＳＴＥＰ１２０に分岐する。
【００６６】
ＳＴＥＰ１０６で、追焚制御手段１１は風呂温度センサ８８の検出温度が追焚設定温度以上であるか否かを判断する。そして、風呂温度センサ８８の検出温度が追焚設定温度以上であるときは、ＳＴＥＰ１３０に分岐して追焚バーナ４４の燃焼を停止し、風呂温度センサ８８の検出温度が追焚設定温度よりも低いときには、ＳＴＥＰ１０７に進んで追焚バーナ４４を最大燃焼量で燃焼させる。
【００６７】
このように、ＳＴＥＰ１０６で風呂温度センサ８８の検出温度が追焚設定温度以上となったときに、ＳＴＥＰ１３０に分岐して追焚バーナ４４の燃焼を停止することにより、追焚回路５が未だ「エアパージ完了状態」となっておらず、風呂温度センサ８８により浴槽８０内の湯水の温度を精度良く検出することができない状態であるときに、浴槽８０の湯水が追焚設定温度以上に加熱されることを防止している。
【００６８】
ここで、台所リモコン３０の追焚スイッチ３５が操作されたときには、追焚制御手段１１は、浴室リモコン２０の追焚スイッチ２５が操作されたときのように、「マイルド条件」の判定により追焚バーナ４４の燃焼を減少させる処理（図２のＳＴＥＰ７，ＳＴＥＰ８）を行わない。これは、台所リモコン３０の追焚スイッチ３５が操作されたときは、使用者は入浴中でないため、追焚回路５から浴槽８０内に高温の湯が供給されても問題がないためであり、追焚バーナ４４の燃焼量を最大燃焼量に維持することで、「追焚運転」の実行時間を最短とすることができる。
【００６９】
続くＳＴＥＰ１０８でエアパージフラグがセット（エアパージフラグ＝１）されていなければＳＴＥＰ１４０に分岐し、追焚制御手段１１は３０秒タイマがタイムアップしているか否かを判断する。そして、３０秒タイマがタイムアップしていたとき、すなわち、ＳＴＥＰ１０４で循環ポンプ８２の作動を開始した時から３０秒が経過したときは、ＳＴＥＰ１４１に進み、追焚制御手段１１は、エアパージフラグをセット（エアパージフラグ＝１）してＳＴＥＰ１４２で３０秒タイマをスタートさせ、ＳＴＥＰ１０５に戻る。また、ＳＴＥＰ１４０で３０秒タイマがタイムアップしていなかったときには、ＳＴＥＰ１４１、ＳＴＥＰ１４２の処理を行うことなくＳＴＥＰ１０５に戻る。
【００７０】
ＳＴＥＰ１０５で追焚水流スイッチ８７がＯＮ状態でなかったときはＳＴＥＰ１２０に分岐し、追焚制御手段１１は追焚バーナ４４の燃焼を停止し、次のＳＴＥＰ１２１で循環ポンプ８２の作動を停止する。そして、次のＳＴＥＰ１２２でエアパージフラグがセットされているか否かを判断する。ＳＴＥＰ１２２でエアパージフラグがセットされていなかったときは、ＳＴＥＰ１４０に分岐する。
【００７１】
ここで、ＳＴＥＰ１２２でエアパージフラグがセットされていたときは、循環ポンプ８２を３０秒間作動させても「エアパージ完了状態」とならなかったことになる。この場合、浴槽８０内には、追焚回路５の接続口９０ａ，９０ｂよりも低い水位までしか湯水がない。そこで、この場合はＳＴＥＰ１２３に進んで、追焚制御手段１１は所定量の湯を浴槽８０に供給する「呼び水湯張り」を行う。そして、続くＳＴＥＰ１２４で循環ポンプ８２を作動させ、ＳＴＥＰ１２５で浴槽８０内の湯水の有無を判断する。
【００７２】
ここで、浴槽８０内の湯水の有無の判断は、上述したＳＴＥＰ３５の処理と同様に、循環ポンプ８２を作動させた状態で、追焚水流スイッチ８７が３０秒間継続してＯＮ状態となったときに、浴槽８０内に湯水が有ると判断することにより行う。
【００７３】
そして、ＳＴＥＰ１２５で浴槽８０内に湯水があると判断したときは、ＳＴＥＰ１０６に分岐して、追焚制御手段１１は「追焚運転」を継続する。一方、ＳＴＥＰ１２５で浴槽８０内に湯水が無いと判断されたとき、すなわち、「呼び水湯張り」を行っても浴槽８０内に追焚回路５との接続口９０ａ，９０ｂの水位を超える湯水が貯まらなかったときには、ＳＴＥＰ１２６に進む。
【００７４】
そして、追焚制御手段１１は、ＳＴＥＰ１２６で循環ポンプ８２を停止し、ＳＴＥＰ１２７で浴室リモコン２０の表示部２１及び台所リモコン３０の表示部３１における追焚運転表示をＯＦＦし、ＳＴＥＰ１２８で浴室リモコン２０の表示部２１及び台所リモコン３０の表示部３１に浴槽８０内に湯水がないことを報知するエラー表示を行う。そして、図５のＳＴＥＰ１１６に進み、追焚制御手段１１は「追焚運転」を終了する。
【００７５】
ここで、台所リモコン３０の追焚スイッチ３５が操作されたときには、追焚制御手段１１は、浴室リモコン２０の追焚スイッチ２５が操作されたときのように、「湯張り運転」を実行する処理（図２のＳＴＥＰ３６）を行わない。これは、台所リモコン３０の追焚スイッチ３５が操作されたときは、使用者は入浴中でないため、浴槽８０の排水栓（図示しない）が外れていたときにこれに気づくことができず、排水栓が外れたままで「湯張り運転」が実行されて浴槽８０に無駄な給湯が行われることを防止するためである。
【００７６】
また、ＳＴＥＰ１０８でエアパージフラグがセット（エアパージフラグ＝１）されていたときはＳＴＥＰ１０９に進み、追焚制御手段１１は３０秒タイマがタイムアップしているか否かを判断する。そして、ＳＴＥＰ１０９で３０秒タイマがタイムアップしていたときは図５のＳＴＥＰ１１０に進み、３０秒タイマがタイムアップしていなかったときにはＳＴＥＰ１０５に分岐する。
【００７７】
ここで、ＳＴＥＰ１０９で３０秒タイマがタイムアップしたときは、ＳＴＥＰ１０４で循環ポンプ８２が作動を開始した時から３０秒が経過し、さらに、ＳＴＥＰ１０５で追焚水流スイッチ８７がＯＦＦすることなく３０秒が経過したことになる。そのため、追焚回路８６が「エアパージ完了状態」となっていることが認識できる。
【００７８】
そして、「エアパージ完了状態」であれば、風呂温度センサ８８により、浴槽８０内の湯水の温度を精度良く検出することができる。そこで、追焚制御手段１１は、図５のＳＴＥＰ１１０で追焚バーナ４４を最大燃焼量とし、ＳＴＥＰ１１１で風呂温度センサ８８の検出温度が追焚設定温度以上となるのを待つ。
【００７９】
そして、ＳＴＥＰ１１１で風呂温度センサ８８の検出温度が追焚設定温度以上となったときにＳＴＥＰ１１２に進み、追焚制御手段１１は、ＳＴＥＰ１１２で追焚バーナ４４の燃焼を停止し、ＳＴＥＰ１１３で循環ポンプ８２の作動を停止し、ＳＴＥＰ１１４で浴室リモコン２０の表示部２１及び台所リモコン３０の表示部３１における追焚運転表示を終了し、ＳＴＥＰ１１５で浴室リモコン２０及び台所リモコン３０により追焚完了の報知（ブザーの鳴動及び表示部２１，３１による表示）を行い、ＳＴＥＰ１１６に進んで「追焚運転」を終了する。
【００８０】
なお、本実施の形態においては、台所リモコン３０の追焚スイッチ３５の操作により「追焚運転」の実行が指示されたときに、「マイルド条件」の成立により追焚バーナ４４の燃焼量を減少させる処理、「エアパージ完了状態」となるまでの間、風呂温度センサ８８の検出温度が追焚設定温度以上となったときに追焚バーナ４４の燃焼を停止する処理を行い、「湯張り運転」及び「強制追焚」を禁止するようにしたが、これらの処理及び禁止のうちの少なくともいずれか１つを採用適用することで、本発明の効果を得ることができる。
【００８１】
また、本実施の形態においては、図４のＳＴＥＰ１０６，ＳＴＥＰ１０７で、「エアパージ完了状態」となる前にも追焚バーナ４４を燃焼させるようにしたが、「エアパージ完了状態」となるのを待って、追焚バーナ４４を燃焼させるようにしてもよい。
【００８２】
また、本実施の形態においては、本発明の追焚加熱手段として、燃料ガスを使用する追焚バーナ４４と追焚バーナ４４により加熱される追焚熱交換器８６を示したが、灯油等他の燃料を使用する追焚バーナを用いる場合や、電気ヒータを用いる場合にも本発明を適用することができる。
【００８３】
また、本実施の形態においては、本発明の浴室外リモコンとして台所リモコン３０を示したが、本発明の浴室外リモコンとして洗面所や居間等の他の部屋に設けられたリモコンを備えてもよい。さらに、浴室外リモコンを２台以上備えてもよい。
【図面の簡単な説明】
【００８４】
【図１】本発明の風呂追焚き装置の機能を含む給湯器の全体構成図。
【図２】図１に示した浴室リモコンの追焚スイッチの操作により追焚きが指示されたときの追焚運転の実行フローチャート。
【図３】図１に示した浴室リモコンの追焚スイッチの操作により追焚きが指示されたときの追焚運転の実行フローチャート。
【図４】図１に示した台所リモコンの追焚スイッチの操作により追焚きが指示されたときの追焚運転の実行フローチャート。
【図５】図１に示した台所リモコンの追焚スイッチの操作により追焚きが指示されたときの追焚運転の実行フローチャート。
【符号の説明】
【００８５】
１…追焚き機能付き、５…追焚回路、１０…コントローラ、１１…追焚制御装置、１２…湯張り制御手段、２０…浴室リモコン、２５…追焚スイッチ、３０…台所リモコン、３５…追焚スイッチ、４４…追焚バーナ、８０…浴槽、８２…循環ポンプ、８６…追焚熱交換器、８７…追焚水流スイッチ、８８…風呂温度センサ
【図１】
2006284026.tif 000003
【図２】
2006284026.tif 000004
【図３】
2006284026.tif 000005
【図４】
2006284026.tif 000006
【図５】
2006284026.tif 000007